(57)【特許請求の範囲】
【請求項１】
自車線の停止線を越えて道路交差点（単路の横断歩道を含む、以下同じ）に進入した車両を、全赤信号の間は検出せず、自車線の信号灯器が全赤信号終了後の赤信号時にのみ検出する車両検出手段と、
この車両検出手段が出力する検出信号に応じて写真撮影された当該車両の前面部及びその撮影時点の時刻を含む交通情報が重畳された静止画像を得る静止画像取得手段と、
前記検出信号の出力時点を含む前後所定時間内の継続的に撮影された前記道路交差点及びそれら撮影時刻を含む交通情報が重畳された動画像を取得する動画像取得手段と、
前記静止画像取得手段及び前記動画像取得手段の画像を出力する出力手段と、
を備えたことを特徴とする交通信号無視車両自動記録装置。
【請求項２】
信号灯器群が設置された道路交差点を、少なくともその時点の時刻を含む交通情報を重畳して、継続的に撮影する動画像撮影記録手段と、
自車線の停止線を越えて道路交差点に進入した車両を、全赤信号の間は検出せず、自車線の信号灯器が全赤信号終了後の赤信号時にのみ検出する車両検出手段と、
前記車両検出手段が出力する検出信号に応じて当該車両の前面部を、少なくともその時点の時刻を含む交通情報を重畳して、写真撮影する静止画像撮影記録手段と、
前記静止画像撮影記録手段で撮影した静止画像及びその静止画像が撮影された時刻を含む前後所定時間内の前記動画像を、一連の違反車両通過記録として出力する出力手段と、
を備えることを特徴とする交通信号無視車両自動記録装置。
【請求項３】
信号灯器群が設置された道路交差点を継続的に撮影する動画像撮影記録手段と、
自車線の停止線を越えて道路交差点に進入した車両を、全赤信号の間は検出せず、自車線の信号灯器が全赤信号終了後の赤信号時にのみ検出する車両検出手段と、
前記車両検出手段が出力する検出信号に応じて当該車両の前面部を写真撮影する静止画像撮影記録手段と、
前記動画像撮影記録手段で撮影された動画像及び前記静止画像撮影記録手段で撮影された静止画像に、それぞれ少なくとも撮影された時点の時刻を含む交通情報を重畳合成する交通情報記録手段と、
前記交通情報記録手段でそれぞれ前記交通情報が重畳合成された、静止画像及びその静止画像が撮影された時刻を含む前後所定時間内の前記動画像を、一連の違反車両通過記録として出力する出力手段と、
を備えることを特徴とする交通信号無視車両自動記録装置。
【請求項４】
信号灯器群が設置された道路交差点を、少なくともその時点の時刻を含む交通情報を重畳して、継続的に撮影する動画像撮影記録手段と、
自車線の停止線を越えて道路交差点に進入した車両を、全赤信号の間は検出せず、自車線の信号灯器が全赤信号終了後の赤信号時にのみ検出する車両検出手段と、
前記車両検出手段の車両検出位置と同一位置を連続的に撮影し、前記車両検出手段が出力する検出信号に応じてその時点の撮影画像に少なくともその時点の時刻を含む交通情報を重畳して、静止画像として出力する静止画像撮影記録手段と、
前記静止画像撮影記録手段で撮影した静止画像及びその静止画像が撮影された時刻を含む前後所定時間内の前記動画像を、一連の違反車両通過記録として出力する出力手段と、
を備えることを特徴とする交通信号無視車両自動記録装置。
【請求項５】
信号灯器群が設置された道路交差点を継続的に撮影する動画像撮影記録手段と、
自車線の停止線を越えて道路交差点に進入した車両を、全赤信号の間は検出せず、自車線の信号灯器が全赤信号終了後の赤信号時にのみ検出する車両検出手段と、
前記車両検出手段の車両検出位置と同一位置を連続的に撮影し、前記車両検出手段が出力する検出信号に応じてその時点の撮影画像を静止画像として出力する静止画像撮影記録手段と、
前記動画像撮影記録手段で撮影された動画像及び前記静止画像撮影記録手段で撮影された静止画像に、それぞれ少なくとも撮影された時点の時刻を含む交通情報を重畳合成する交通情報記録手段と、
前記交通情報記録手段でそれぞれ前記交通情報が重畳合成された、静止画像及びその静止画像が撮影された時刻を含む前後所定時間内の前記動画像を、一連の違反車両通過記録として出力する出力手段と、
を備えることを特徴とする交通信号無視車両自動記録装置。
【請求項６】
前記車両検出手段は、自車線の信号灯器の表示色が、全赤信号が終了し引き続く所定オフセットタイム終了後の赤信号時に、停止線を越えて交差点内に進入した車両を検出することを特徴とする請求項１〜５のいずれかに記載の交通信号無視車両自動記録装置。
【請求項７】
前記動画像取得手段又は前記動画像撮影記録手段は、信号灯器群が設置された道路交差点とともに、信号灯器群の少なくとも一部を同一画面に撮影することを特徴とする請求項１〜５のいずれかに記載の交通信号無視車両自動記録装置。
【請求項８】
前記静止画像取得手段又は静止画像撮影記録手段は、撮影時に撮影される車両に向けてストロボ光を照射することを特徴とする請求項１〜３のいずれかに記載の交通信号無視車両自動記録装置。
【請求項９】
前記車両検出手段として、レーザ距離計を用いることを特徴とする請求項１〜８のいずれかに記載の交通信号無視車両自動記録装置。
【請求項１０】
前記車両検出手段として、ドップラーレーダを用いることを特徴とする請求項１〜８のいずれかに記載の交通信号無視車両自動記録装置。
【請求項１１】
前記出力手段は、それぞれ交通情報が重畳合成された、静止画像及びその静止画像が撮影された時刻を含む所定時間内の動画像を、伝送手段を介して、管理センターに伝送することを特徴とする請求項１〜１０のいずれかに記載の交通信号無視車両自動記録装置。
【請求項１２】
前記出力手段は、それぞれ交通情報が重畳合成された、静止画像及びその静止画像が撮影された時刻を含む所定時間内の動画像のうちの少なくとも一方を、当該交差点近傍の監視装置に、伝送手段を介して、伝送することを特徴とする請求項１〜１０のいずれかに記載の交通信号無視車両自動記録装置。
【請求項１３】
道路交差点において、自車線の信号状態を検出し、道路交差点の全ての信号灯が赤信号である全赤状態が終了し、自車線の信号状態が赤信号であることを検出する全赤信号終了検出ステップと、
この全赤信号終了ステップの全赤信号終了を受けて、自車線から交差点へ進入した車両を検出する動作を、開始し、前記赤信号が終了するまで行う進入車両検出ステップと、
この進入車両検出ステップで進入車両が検出されると、検出された進入車両に対する記録番号、時刻、現示登録を行い、再び前記進入車両検出ステップに戻る記録番号・時刻・現示登録ステップと、
前記進入車両検出ステップで進入車両が検出されると、検出された進入車両の前面部を撮影し、その撮影された静止画像にその時刻と現示状態を重畳して記録し出力する静止画像記録・出力ステップと、
前記進入車両検出ステップで進入車両が検出されると、連続的に撮影されている前記道路交差点の動画像のうちの、進入車両の検出された時刻を挟んでその前後所定時間範囲の動画像にその時刻と現示状態を重畳して出力する動画像出力ステップと、
前記静止画像記録・出力ステップで出力された静止画像と、前記動画像出力ステップで出力された所定時間範囲の動画像とに、さらに所要の履歴を付加し、１交通事象として記録する記録処理ステップと、
この記録処理ステップで作成された前記記録を所要の箇所に伝送する伝送ステップとを有することを特徴とする交通信号無視車両自動記録方法。
【請求項１４】
道路交差点において、自車線の信号状態を検出し、道路交差点の全ての信号灯が赤信号である全赤状態が終了し、自車線の信号状態が赤信号であることを検出する全赤信号終了検出ステップと、
この全赤信号終了ステップの全赤信号終了を受けて、自車線から交差点へ進入した車両を検出する動作を、開始し、前記赤信号が終了するまで行う進入車両検出ステップと、
この進入車両検出ステップで進入車両が検出されると、検出された進入車両に対する記録番号、時刻、現示登録を行い、再び前記進入車両検出ステップに戻る記録番号・時刻・現示登録ステップと、
前記進入車両検出ステップで進入車両が検出されると、検出された進入車両の前面部を撮影し、その撮影された静止画像を記録し出力する静止画像記録・出力ステップと、
前記進入車両検出ステップで進入車両が検出されると、連続的に撮影されている前記道路交差点の動画像から、進入車両の検出された時刻を挟んでその前後所定時間範囲の動画像を出力する動画像出力ステップと、
前記静止画像記録・出力ステップで出力された静止画像と、前記動画像出力ステップで出力された所定時間範囲の動画像とに、それぞれそれらの画像撮影時の時刻と現示状態を重畳するとともに、記録番号、時刻、現示状態を含む所要の履歴を付加し、１交通事象として記録する記録処理ステップと、
この記録処理ステップで作成された前記記録を所要の箇所に伝送する伝送ステップとを有することを特徴とする交通信号無視車両自動記録方法。
【発明の詳細な説明】
【０００１】
【発明の属する技術分野】
本発明は、交通信号機の設置された交差点及び単路の横断歩道（以下、代表して、交差点、という。）を、交通信号を無視して走行する車両を自動的に記録する交通信号無視車両自動記録装置に関する。
【０００２】
【従来の技術】
従来、信号無視車両の取り締まりは、交差点で待機する警察官が直接行うか、監視用カメラによる交差点の交通流画像を中央の管理センターや交差点近傍の現場で、監視したり、また記録した画像を再生して、行っている。これらの方法では、現場で違反車両を発見しても、交通量の多い交差点では違反車両の摘発が他の車両や歩行者などの交通に支障を来したり、逃走する車両の追跡には危険が伴うために、取り締まりが困難であった。また、従来の監視用カメラによる違反車両の記録では交差点流入から流出までの記録が取られていないことや、ナンバープレートや運転手の特定が十分でなく、やはり取り締まりが困難であった。
【０００３】
また、信号無視車両を特定するために、画像処理技術を用いて速度、位置、ナンバープレートや、信号灯器の表示色等を検出する方法が提案されている（特許第２８４７６８２号）。
【０００４】
【発明が解決しようとする課題】
しかし、車両の位置や速度だけでは交差点を通過走行したことの証明はできない。また、撮影した画像に認識処理等の画像処理を施してプレートナンバーを抽出しても運転手を特定できないばかりでなく、画像自体に処理を行っているため事実としての証拠資料とならない。
【０００５】
また、停止線を越えた車両の写真撮影だけでは、黄色信号で進入した車両である可能性もあり、また、停止車両の場合もあることから、違反走行通過の証明とはならない。
【０００６】
本発明はかかる状況に鑑みて問題点を解決するためになされたものであり、信号無視走行車両の交差点進入から流出までの違反走行通過状況を記録した画像と、当該信号無視走行車両のナンバープレート及び運転手を撮影した画像とを、それらの画像そのものに何らの加工を行うことなく取得し、かつ結びつけることにより、信号無視走行車両を確実に取り締まることができる交通信号無視車両自動記録装置及びその方法を提供することを目的とする。
【０００７】
また、交差点内での信号無視走行車両による事故状況を記録することができる交通信号無視車両自動記録装置及びその方法を提供することを目的とする。
【０００８】
【課題を解決するための手段】
本発明の請求項１に係る交通信号無視車両自動記録装置は、自車線の停止線を越えて道路交差点（単路の横断歩道を含む、以下同じ）に進入した車両を、全赤信号の間は検出せず、自車線の信号灯器が全赤信号終了後の赤信号時にのみ検出する車両検出手段と、この車両検出手段が出力する検出信号に応じて写真撮影された当該車両の前面部及びその撮影時点の時刻を含む交通情報が重畳された静止画像を得る静止画像取得手段と、前記検出信号の出力時点を含む前後所定時間内の継続的に撮影された前記道路交差点及びそれら撮影時刻を含む交通情報が重畳された動画像を取得する動画像取得手段と、前記静止画像取得手段及び前記動画像取得手段の画像を出力する出力手段と、を備えたことを特徴としている。
【０００９】
本発明の請求項２に係る交通信号無視車両自動記録装置は、信号灯器群が設置された道路交差点を、少なくともその時点の時刻を含む交通情報を重畳して、継続的に撮影する動画像撮影記録手段と、自車線の停止線を越えて道路交差点に進入した車両を、全赤信号の間は検出せず、自車線の信号灯器が全赤信号終了後の赤信号時にのみ検出する車両検出手段と、前記車両検出手段が出力する検出信号に応じて当該車両の前面部を、少なくともその時点の時刻を含む交通情報を重畳して、写真撮影する静止画像撮影記録手段と、前記静止画像撮影記録手段で撮影した静止画像及びその静止画像が撮影された時刻を含む前後所定時間内の前記動画像を、一連の違反車両通過記録として出力する出力手段と、を備えることを特徴としている。
【００１０】
本発明の請求項３に係る交通信号無視車両自動記録装置は、信号灯器群が設置された道路交差点を継続的に撮影する動画像撮影記録手段と、自車線の停止線を越えて道路交差点に進入した車両を、全赤信号の間は検出せず、自車線の信号灯器が全赤信号終了後の赤信号時にのみ検出する車両検出手段と、前記車両検出手段が出力する検出信号に応じて当該車両の前面部を写真撮影する静止画像撮影記録手段と、前記動画像撮影記録手段で撮影された動画像及び前記静止画像撮影記録手段で撮影された静止画像に、それぞれ少なくとも撮影された時点の時刻を含む交通情報を重畳合成する交通情報記録手段と、前記交通情報記録手段でそれぞれ前記交通情報が重畳合成された、静止画像及びその静止画像が撮影された時刻を含む前後所定時間内の前記動画像を、一連の違反車両通過記録として出力する出力手段と、を備えることを特徴としている。
【００１１】
本発明の請求項４に係る交通信号無視車両自動記録装置は、信号灯器群が設置された道路交差点を、少なくともその時点の時刻を含む交通情報を重畳して、継続的に撮影する動画像撮影記録手段と、自車線の停止線を越えて道路交差点に進入した車両を、全赤信号の間は検出せず、自車線の信号灯器が全赤信号終了後の赤信号時にのみ検出する車両検出手段と、前記車両検出手段の車両検出位置と同一位置を連続的に撮影し、前記車両検出手段が出力する検出信号に応じてその時点の撮影画像に少なくともその時点の時刻を含む交通情報を重畳して、静止画像として出力する静止画像撮影記録手段と、前記静止画像撮影記録手段で撮影した静止画像及びその静止画像が撮影された時刻を含む前後所定時間内の前記動画像を、一連の違反車両通過記録として出力する出力手段と、を備えることを特徴としている。
【００１２】
本発明の請求項５に係る交通信号無視車両自動記録装置は、信号灯器群が設置された道路交差点を継続的に撮影する動画像撮影記録手段と、自車線の停止線を越えて道路交差点に進入した車両を、全赤信号の間は検出せず、自車線の信号灯器が全赤信号終了後の赤信号時にのみ検出する車両検出手段と、前記車両検出手段の車両検出位置と同一位置を連続的に撮影し、前記車両検出手段が出力する検出信号に応じてその時点の撮影画像を静止画像として出力する静止画像撮影記録手段と、前記動画像撮影記録手段で撮影された動画像及び前記静止画像撮影記録手段で撮影された静止画像に、それぞれ少なくとも撮影された時点の時刻を含む交通情報を重畳合成する交通情報記録手段と、前記交通情報記録手段でそれぞれ前記交通情報が重畳合成された、静止画像及びその静止画像が撮影された時刻を含む前後所定時間内の前記動画像を、一連の違反車両通過記録として出力する出力手段と、を備えることを特徴としている。
【００１３】
この請求項１〜５の交通信号無視車両自動記録装置によれば、交差点（単路の横断歩道を含む）で信号無視をした違反車両を自動的に検出する。この違反車両を検出したときには、その車両の前面部が撮影された画像にその時点の時刻を含む交通情報（信号現示状態等）を重畳することにより、その車両自体、運転者の顔、ナンバープレートとともに時刻を含む交通情報が重畳表示された画像を得ることができる一方、その違反車両を検出した時点を含む前後所定時間内の道路交差点の交通流の画像を、時刻を含む交通情報が重畳された画像で、得ることができる。また、それらの画像そのものには、何らの加工も行われていない。したがって、証拠能力に優れていることはもちろんであるが、証拠価値（証拠力）も高い。
【００１４】
これにより、同一交通事象における、信号無視走行車両の交差点進入から流出までの違反走行通過状況を記録した動画像と、当該信号無視走行車両の車両自体、ナンバープレート及び運転手を撮影した静止画像とにより、信号無視走行車両を確実に取り締まることができる。また、交差点内での信号無視走行車両を検出したとき、この違反車両が事故を起こした場合の事故発生状況を画像として自動記録する機能を同時に備えている。
また、全赤終了後の赤信号時に、停止線を越えて交差点内に進入した車両を違反車両として検出するから、赤信号時に故意（重大な過失を含む）に停止線を越えた違反車両のみをより確実に検出することができる。赤信号時に車両が故意に交差点内に進入したか否かを判定するには、通常は黄信号時における車両の位置と停止線の位置および車両の走行速度から判定する必要があるが、このような処理を行った場合、機器構成の大型化及び処理の複雑さが増大する。このような理由から、本発明では、自車線の信号灯器の表示色が、全赤終了後の赤信号時（交差側は青信号時）に、停止線を越えて交差点に進入した車両を故意に進入した車両とみなし、これを違反車両として検出することで、簡易な処理で確実に違反車両のみを検出することができる。
【００１５】
本発明の請求項６に係る交通信号無視車両自動記録装置は、請求項１〜５のいずれかに記載の交通信号無視車両自動記録装置において、前記車両検出手段は、自車線の信号灯器の表示色が、全赤信号が終了し引き続く所定オフセットタイム終了後の赤信号時に、停止線を越えて交差点内に進入した車両を検出することを特徴としている。
【００１６】
この請求項６の交通信号無視車両自動記録装置によれば、交差点の構造などに応じて、全赤終了後の赤信号からさらに所定時間のオフセットタイムを持たせる。このオフセットタイムが終了すると、その時点から例えば主道路赤信号の間の期間が、違反車両監視期間となる。この違反車両監視期間の間、即ち進入車両検出動作開始から赤信号が終了するまで違反車両検出を行う。このオフセットタイムは、全赤信号の終了後に停止線を越えて交差点内に進入した車両を確実に検出するために設定される時間であり、交差点の規模や形状あるいは停止線の位置などに応じて決められる。
【００１７】
本発明の請求項７に係る交通信号無視車両自動記録装置は、請求項１〜５のいずれかに記載の交通信号無視車両自動記録装置において、前記動画像取得手段又は前記動画像撮影記録手段は、信号灯器群が設置された道路交差点とともに、信号灯器群の少なくとも一部を同一画面に撮影することを特徴としている。
【００１８】
この請求項７の交通信号無視車両自動記録装置によれば、カラーの動画像撮影記録手段を用いることで、道路交差点の交通流の画像にさらに信号灯器の表示状態も得られるから、違反車両の記録画像として好適である。
【００１９】
本発明の請求項８に係る交通信号無視車両自動記録装置は、請求項１〜３のいずれかに記載の交通信号無視車両自動記録装置において、前記静止画像取得手段又は静止画像撮影記録手段は、撮影時に撮影される車両に向けてストロボ光を照射することを特徴としている。
【００２０】
この請求項８の交通信号無視車両自動記録装置によれば、ストロボ光を照射することにより昼夜に関わらず鮮明な画像を撮影することができる。また、ストロボ光として近赤外線ストロボ光を用いることで、運転者に幻惑を与えることなく、撮影されたことを気づかせることができる。これにより、信号無視違反者に対する効果的な抑制と再発防止が期待できる。
【００２１】
本発明の請求項９に係る交通信号無視車両自動記録装置は、請求項１〜８のいずれかに記載の交通信号無視車両自動記録装置において、前記車両検出手段として、レーザ距離計を用いることを特徴としている。
【００２２】
この請求項９の交通信号無視車両自動記録装置によれば、車両検出手段にレーザ距離計を用いることにより、車両検出手段を安価に構成することができる。
【００２３】
本発明の請求項１０に係る交通信号無視車両自動記録装置は、請求項１〜８のいずれかに記載の交通信号無視車両自動記録装置において、前記車両検出手段として、ドップラーレーダを用いることを特徴としている。
【００２４】
この請求項１０の交通信号無視車両自動記録装置によれば、車両検出手段にドップラーレーダを用い、そのビーム幅を調整することにより、監視すべき車線の幅いっぱいに照射することができるから、単車などの車幅の小さい車両をも漏れなく取り締まることができる。また、一台のドップラーレーダで複数の車線を同時に監視することも可能である。さらに、車両の位置に加えて、その速度、方向のデータも同時に取得できるし、交差点３内を走行する車両のみを記録することが可能になる。
【００２５】
本発明の請求項１１に係る交通信号無視車両自動記録装置は、請求項１〜１０のいずれかに記載の交通信号無視車両自動記録装置において、前記出力手段は、それぞれ交通情報が重畳合成された、静止画像及びその静止画像が撮影された時刻を含む所定時間内の動画像を、伝送手段を介して、管理センターに伝送することを特徴としている。
【００２６】
この請求項１１の交通信号無視車両自動記録装置によれば、管理センターに前記静止画像及び動画像が１つの交通事象の記録画像として伝送され、記録されるから、それを証拠資料として、後日呼び出すなどして当該違反者を取り締まることができる。
【００２７】
本発明の請求項１２に係る交通信号無視車両自動記録装置は、請求項１〜１０のいずれかに記載の交通信号無視車両自動記録装置において、前記出力手段は、それぞれ交通情報が重畳合成された、静止画像及びその静止画像が撮影された時刻を含む所定時間内の動画像のうちの少なくとも一方を、当該交差点近傍の監視装置に、伝送手段を介して、伝送することを特徴としている。
【００２８】
この請求項１２の交通信号無視車両自動記録装置によれば、当該交差点近傍の監視装置に、前記静止画像及び又は動画像が１つの交通事象の記録画像として伝送され、記録されるから、それを証拠資料として、違反者を現場で逮捕することができる。
【００２９】
本発明の請求項１３の交通信号無視車両自動記録方法は、道路交差点において、自車線の信号状態を検出し、道路交差点の全ての信号灯が赤信号である全赤状態が終了し、自車線の信号状態が赤信号であることを検出する全赤信号終了検出ステップと、この全赤信号終了ステップの全赤信号終了を受けて、自車線から交差点へ進入した車両を検出する動作を、開始し、前記赤信号が終了するまで行う進入車両検出ステップと、この進入車両検出ステップで進入車両が検出されると、検出された進入車両に対する記録番号、時刻、現示登録を行い、再び前記進入車両検出ステップに戻る記録番号・時刻・現示登録ステップと、前記進入車両検出ステップで進入車両が検出されると、検出された進入車両の前面部を撮影し、その撮影された静止画像にその時刻と現示状態を重畳して記録し出力する静止画像記録・出力ステップと、前記進入車両検出ステップで進入車両が検出されると、連続的に撮影されている前記道路交差点の動画像のうちの、進入車両の検出された時刻を挟んでその前後所定時間範囲の動画像にその時刻と現示状態を重畳して出力する動画像出力ステップと、前記静止画像記録・出力ステップで出力された静止画像と、前記動画像出力ステップで出力された所定時間範囲の動画像とに、さらに所要の履歴を付加し、１交通事象として記録する記録処理ステップと、この記録処理ステップで作成された前記記録を所要の箇所に伝送する伝送ステップとを有することを特徴としている。
【００３０】
この請求項１３の交通信号無視車両自動記録方法によれば、交差点で信号無視をした違反車両を自動的に検出し、その車両の前面部が撮影された画像にその時点の時刻を含む交通情報（信号現示状態等）を重畳することにより、その車両自体、運転者の顔、ナンバープレートとともに時刻を含む交通情報が重畳表示された画像を得ることができる一方、その違反車両を検出した時点を含む前後所定時間内の道路交差点の交通流の画像を、時刻を含む交通情報が重畳された画像で、得ることができる。これにより、同一交通事象における、信号無視走行車両の交差点進入から流出までの違反走行通過状況を記録した動画像と、当該信号無視走行車両の車両自体、ナンバープレート及び運転手を撮影した静止画像とにより、信号無視走行車両を確実に取り締まることができる。また、全赤終了後の赤信号時に、停止線を越えて交差点内に進入した車両を違反車両として検出するようにすれば、赤信号時に故意（重大な過失を含む）に停止線を越えた違反車両のみをより確実に検出することができる。
【００３１】
本発明の請求項１４の交通信号無視車両自動記録方法は、道路交差点において、自車線の信号状態を検出し、道路交差点の全ての信号灯が赤信号である全赤状態が終了し、自車線の信号状態が赤信号であることを検出する全赤信号終了検出ステップと、この全赤信号終了ステップの全赤信号終了を受けて、自車線から交差点へ進入した車両を検出する動作を、開始し、前記赤信号が終了するまで行う進入車両検出ステップと、この進入車両検出ステップで進入車両が検出されると、検出された進入車両に対する記録番号、時刻、現示登録を行い、再び前記進入車両検出ステップに戻る記録番号・時刻・現示登録ステップと、前記進入車両検出ステップで進入車両が検出されると、検出された進入車両の前面部を撮影し、その撮影された静止画像を記録し出力する静止画像記録・出力ステップと、前記進入車両検出ステップで進入車両が検出されると、連続的に撮影されている前記道路交差点の動画像から、進入車両の検出された時刻を挟んでその前後所定時間範囲の動画像を出力する動画像出力ステップと、前記静止画像記録・出力ステップで出力された静止画像と、前記動画像出力ステップで出力された所定時間範囲の動画像とに、それぞれそれらの画像撮影時の時刻と現示状態を重畳するとともに、記録番号、時刻、現示状態を含む所要の履歴を付加し、１交通事象として記録する記録処理ステップと、この記録処理ステップで作成された前記記録を所要の箇所に伝送する伝送ステップとを有することを特徴とする。
【００３２】
この請求項１４の交通信号無視車両自動記録方法によれば、請求項１３の交通信号無視車両自動記録方法と同様の効果を得ることができるほか、静止画像や動画像への時刻や履歴などのデータの重畳処理が容易になる。
【００３３】
【発明の実施の形態】
以下、本発明の実施の形態について、図を参照して説明する。
【００３４】
図１は、本発明の第１の実施の形態に係る交通信号無視車両自動記録装置のブロック構成を示す図であり、図２は監視すべき交差点に、本発明の交通信号無視車両自動記録装置を配置したシステム構成を示す図である。また、図３は、動画像記録画面の例を示す図である。
【００３５】
図１，図２において、主道路１と従道路２とが交差する交差点３に、信号灯器１０が信号柱５に取り付けて設けられている。この図では、信号灯器１０は代表して一台のみ示している。
【００３６】
この信号灯器１０或いは信号柱５に、動画像用カメラ１１と、レーザ距離計１２と、静止画像用カメラ１３と、検出・記録部２０が収納されたボックスが設けられている。
【００３７】
動画像用カメラ１１は、交差点３を含めた道路と交差点に設けられている他の信号灯器とが撮影できるように信号灯器１１の上部に取り付けられ、動画像撮影範囲ＭＡを、連続的に撮影する。そのため、１台の広角テレビカメラが用いられる。また、信号灯器の表示色も写し込めるようにカラーカメラが良く、さらに昼間及び夜間にも撮影できるように高感度なカメラとする。したがって、周囲の明るさに応じて感度が調節される高感度の広角カラーテレビカメラが、好適である。この動画像カメラにより、動画像画面は図３に例示されるように、主道路１の停止線４を越えて交差点内を違反走行する車両６が時間の経過とともに記録され、また信号灯器１０の表示色も写し込まれている。なお、動画像カメラ１１は、基本的には一台でよいが、交差点３の構造などに対応して、２台以上を設けるようにしてもよい。
【００３８】
レーザ距離計１２は、走行車線毎に設けられ、監視している車線の停止線４を越えて交差点３内に進入した車両を検出する。このために検出すべき所定の位置にレーザビームＬＢを照射している。進入した車両によりレーザビームＬＢが遮られることにより計測される距離が変化するから、この距離の変化で車両の進入を検出する。
【００３９】
静止画像用カメラ１３は、通常は、レーザ距離計１２と同様に走行車線毎に設けられ、レーザ距離計１２が車両の進入を検出すると、その車両が違反車両６である場合には、その検出信号に応じてレーザ距離計１２の検出位置と同一計測位置を写真撮影する。これにより、進入した違反車両６の前面部が撮影され、その車両自体、ナンバープレート、運転手の顔が写った静止画像を得る。また、複数の車線を同時に撮影できる静止画像用カメラを用いて、そのいずれかの車線での進入車両を検出して撮影するようにしても良い。
【００４０】
この静止画像を鮮明な画像で得るために、静止画像用カメラ１３はストロボ装置付きのものを利用し、ストロボ光を照射して撮影するとよい。これにより、昼間及び夜間にも鮮明な静止画像を得ることができる。さらに、このストロボ装置及び静止画像用カメラ自体を近赤外線対応のものとし、撮影時に近赤外線のストロボ光を照射して、鮮明な静止画像を得るとともに、当該違反車両６の運転者に照射による幻惑を与えることなく撮影されたことを気づかせることができる。これにより、信号無視違反者に対する効果的な抑制と再発防止が期待できる。
【００４１】
検出・記録部２０の構成が図１に示されている。なお、レーザ距離計１２，静止画像用カメラ１３は、走行車線に対応して複数設けられ、また検出・記録部２０の内部構成も複数の距離計などに対応するように構成されている。ただ、説明を理解しやすくするために、以下の説明では、１つの走行車線に対する構成について説明する。
【００４２】
まず、動画像監視記録部２１は、動画像用カメラ１１から交差点３の交通流が撮影された画像（例えば１秒間に３０コマ）が連続的に供給され、その画像にその時点の時刻と現示状態（交差点の信号灯器の表示状態を表したもの）を、画像を編集処理することなく、単に重畳合成して連続して記録する。この動画像の記録は、ディジタルデータでディスクなどの電子ファイル装置に格納される。
【００４３】
この記録された動画像は、監視記録として長期間保存できるようにしてもよく、また、所定期間（例えば、１日）毎に上書き記録するようにしてもよい。この動画像監視記録部２１は動画像用カメラ１１とともに、動画像撮影記録手段を構成する。そして、違反車両検出信号に応じて、その検出信号の時刻を含んで、その前の所定期間及びその後の所定期間に亘る所定期間の動画像を出力する。
【００４４】
車両検出部２２は、レーザ距離計１２と連携して停止線４を越えて交差点３内に進入した車両を検出し、判定部２４に通知する。
【００４５】
信号状態検出部２３は、外部から現示状態に応じた信号灯器用出力ＳＴが信号状態として供給され、監視している車線の交通信号を判定部２４に供給する。交差点３において、異なった方向（主道路方向及び従道路方向）の交通流には、信号機により順番に青信号の表示により通行権（現示）が与えられる。この一連の交通の流れに与えられる信号機の表示状態が、現示状態である。
【００４６】
判定部２４は、車両検出部２２からの検出通知と信号状態検出部２３からの信号状態（例えば、赤信号時）とに基づいて、交通信号無視違反車両６が交差点内に進入したことを判定し、動画像監視記録部２１及び静止画像記録部２６に車両検出信号を供給する。
【００４７】
時計部／現示部２５は、時計を有し、また信号状態検出部２３から判定部２４を介して或いは直接に現示状態を得て、動画像監視記録部２１及び静止画像記録部２６に、時刻及び現示状態を供給する。なお、時刻及び現示状態は、動画像監視記録部２１には常時供給されるが、静止画像記録部２６には静止画像を記録するときのみに供給するようにしても良い。
【００４８】
静止画像記録部２６は、判定部２４からの車両検出信号を受けて、静止画像用カメラ１３に撮影指示を出し、撮影された静止画像に時刻及び現示状態を単に重畳させて、静止画像自体には何らの編集・加工などを行うことなく、記録し出力する。静止画像記録部２６での画像は、動画像と同様にディジタルデータで記録される。この静止画像記録部２６は、静止画像用カメラ１３とともに、静止画像撮影記録手段を構成する。
【００４９】
違反車両通過記録部／履歴記録部２７は、動画像監視記録部２１からの所定期間の動画像及び静止画像記録部２６からの静止画像に対して、所要の履歴を付加し、一連の交通事象として１つのファイルに形成し、伝送部２８に出力する。ここで、付加する履歴としては、「交差点の地点名」、「記録番号」、「発生日付」、「発生時刻」、「現示サイクルの開始時刻」、「各現示の時間」等である。これらの履歴は、各画像毎に付加しても良いし、また、ファイルに代表して付加してもよい。
【００５０】
伝送部２８は、違反車両通過記録部／履歴記録部２７からの動画像及び静止画像からなるファイルを、管理センターなどの中央装置や交差点近傍の待機所に、記録及び再生又は監視可能に伝送する。
【００５１】
次に、本発明の動作説明に先立って、信号灯器の配置と信号の表示タイミングを、図４及び図５を参照して説明する。
【００５２】
標準的な十字路交差点における信号灯器は、図４のように、主道路１方向の現示を表示する車両灯器１Ｖ及び歩行者灯器１Ｐと、従道路２方向の現示を表示する車両灯器２Ｖ及び歩行者灯器２Ｐが、配置される。
【００５３】
その信号の表示タイミングを、図５の現示階梯図に示している。この図５では、２現示１０階梯（ステップ）の一般的な例を示しており、各階梯毎にいずれかの信号灯器の表示が切り替えられる。階梯１〜階梯５が主道路方向に通行権を与える第１現示であり、この期間が従道路２に対する違反車両監視期間となる。また、階梯６〜階梯１０が従道路方向に通行権を与える第２現示であり、この期間が主道路１に対する違反車両監視期間となる。各階梯の時間は図５に例示されるように設定され、階梯１〜階梯１０で１現示サイクルを形成している。
【００５４】
さて、本発明の交通信号無視車両自動記録装置の動作を、図６のフローチャート及び図７の記録動作タイミング図を参照して説明する。以下の動作説明では、主道路１における自動記録動作を例として説明する。
【００５５】
スタートすると、ステップ１０１で主道路１方向の信号状態を検出する。現示階梯１〜３の青信号、現示階梯４の黄信号に引き続いて、交差点の全ての信号灯器が赤信号である現示階梯５の全赤信号になると、ステップ１０２でこの全赤信号が終了したか否かを判定する。この全赤信号は、交差点３内に滞留している右折車両などがつぎの現示階梯になるまでに交差点から出ることができるような時間に設定されている。この全赤信号期間は、図７（ａ）の主道路赤となってから、図７（ｂ）の従道路青となるまでの期間である。
【００５６】
つぎに、全赤信号期間が終了すると、ステップ１０３でオフセットタイマーにオフセットタイムを設定する。このオフセットタイムＴｏｆｆは、図７（ｄ）に示されるように、全赤信号の終了後に停止線４を越えて交差点内に進入した車両を確実に検出するために設定される時間であり、交差点の規模や形状あるいは停止線の位置などに応じて予め決められている。ステップ１０４でこのオフセットタイムが終了したか否かを判定する。
【００５７】
オフセットタイムが終了すると、図７（ｂ）に示されるように、その時点から主道路赤信号の間、即ちほぼ図５の現示階梯６〜現示階梯１０の期間が、違反車両監視期間となる。この違反車両監視期間の間、即ちステップ１０５の進入車両検出動作開始からステップ１１４の赤信号が終了するまでステップ１０６で違反車両検出を行う。この違反車両６の検出は、レーザ距離計１２と車両検出部２２からの進入車両の検出通知と、信号状態検出部２３からの信号灯器用出力ＳＴの信号状態（現示階梯６〜現示階梯１０）に基づいて判定部２４により行われる。
【００５８】
違反車両６が検出されると、記録番号・時刻・現示登録を行うステップ１０７と、静止画像記録・出力を行うステップ１０８と、動画像出力開始／出力タイマー起動を行うステップ１０９に同時に進み、それぞれの処理を並行して行う。
【００５９】
まず、ステップ１０７では、検出された違反車両に対する記録番号、その発生した時刻、及びそのときの現示状態を登録する。そして、ステップ１１４で赤信号終了でないことを確認して、再びステップ１０６の車両検出に戻り、新たな違反車両の検出に備える。
【００６０】
一方、ステップ１０８で並行して、違反車両の静止画像を記録し出力する。そのために、レーザ距離計１２の進入車両検出位置と同一計測位置をストロボ光を照射して進入した違反車両６の前面部を写真撮影し、違反車両６の車両自体、ナンバープレート、運転手の顔が写った静止画像を得る。この静止画像に、ステップ１０７で取得された記録番号、その時点の時刻及び現示状態を重畳して記録し、出力する。
【００６１】
さらに、並行して、ステップ１０９で違反車両の検出に応じて、常時連続して動画像監視記録部に記録されている動画像記録の出力を開始し、出力タイマーを起動する。この動画像記録の出力時間範囲は、図７（ｆ）に示されるように、違反車両検出時点、即ち静止画像を記録した時点を含みその前後「−Ｎ秒〜＋Ｍ秒」である。この動画像には、撮影された時点の時刻と現示状態が重畳して記録されている。ステップ１１０で、動画像出力時間の終了を監視し、ステップ１１１でそのタイマ時間の開始から終了までの出力時間範囲内の動画像を出力する。
【００６２】
つぎに、ステップ１１２で、これら静止画像及び一定時間範囲の動画像に、所要の履歴（「交差点の地点名」、「記録番号」、「発生日付」、「発生時刻」、「現示サイクルの開始時刻」、「各現示の時間」等）を付加し、ステップ１１３で違反走行通過記録として１つのファイルに１交通事象として形成する。なお、付加としては、各画像や代表画像（例えば、静止画像）に重畳合成してもよいし、或いは、タイトル画像を形成して、その画像に合成してもよい。この形成された交通信号無視車両の画像を記録したファイルを、伝送部２８から、管理センターなどの中央装置や交差点近傍の待機所に、有線或いは無線の伝送手段により、記録及び再生又は監視可能に伝送する。
【００６３】
管理センターなどの中央装置や交差点近傍の待機所では、伝送された交通信号無視車両の記録ファイルの画像は、モニタ表示又はプリント出力するとともに、光磁気ディスクなどの記憶装置に信頼性のある永久的なディジタルデータとして格納される。そして、そのデータファイルを必要に応じて再生することによってモニタで表示するとともにプリンタ出力して、違反車両とその車両ナンバープレート及び運転手を割り出して、取り締まりを行うことになる。
【００６４】
なお、検出・記録装置２０にもモニタ表示手段を設け、違反車両通過記録部／履歴記録部２７によって形成されたファイルを、そのモニタ表示手段に出力することによって、検出・記録装置２０自体で監視するように構成することもできる。
【００６５】
さらに、ステップ１１４で、赤信号が終了したかどうかを判断し、まだ赤信号であれば車両検出のステップ１０６に戻って、車両検出以下の処理を繰り返す。赤信号の終了後に、フローは終了する。
【００６６】
以上は、主道路の１車線についての動作フローについて示したが、主道路の他の車線、及び従道路の他の車線についても同様に行われる。
【００６７】
又、第１の実施の形態では、静止画像用カメラ１３と静止画像記録部２６から構成される静止画像記録手段について説明したが、本発明はこれに限定されるものではない。例えば、動画像用カメラを用い、静止画像記録部２６に動画像監視記録部２１と同様に連続して撮影する機能を持たせた静止画像撮影記録手段によっても実現できる。
【００６８】
この場合、動画像用カメラは、レーザ距離計１２の車両検出位置と同一計測位置を連続的に撮影し、動画像監視記録機能を持った静止画像記録部は動画像用カメラから撮像された画像（例えば１秒間に３０コマ）が連続的に供給され、その画像にその時点の時刻を、画像を編集処理することなく、単に重畳合成して連続的に記録する。この動画像の記録は、ディジタルデータでディスクなどの電子ファイル装置に格納される。判定部２４からの車両検出信号を受けると、動画像記録から違反車両検出時点におけるコマ画像を写真撮影画像として抽出し記録・出力する。
【００６９】
他の第２の実施の形態として、静止画像及び動画像への時刻、現示状態などの交通情報の重畳を、履歴の記録とともに行うように構成することができる。前述の第１の実施の形態では、静止画像記録部２６及び動画像監視記録部２１に時計／現示部２５から時刻と現示状態を供給して各画像に重畳している。
【００７０】
本第２の実施の形態では、時計／現示部２５から時刻と現示状態を違反車両通過記録部／履歴記録部２７に供給する。そして、違反車両通過記録部／履歴記録部２７にて、動画像監視記録部２１からの所定期間の動画像及び静止画像記録部２６からの静止画像に対して、時刻、現示状態などの交通情報を所要の履歴とともに付加し、１つのファイルとして伝送部２８に出力する。
【００７１】
この第２の実施の形態では、各画像へのデータ（履歴や時刻など）の重畳処理が１回ですむため、処理が容易になる。
【００７２】
他の第３の実施の形態として、違反車両検出のための距離計として、ドップラーレーダを用いて、構成する。第１の実施の形態では、レーザ距離計１２を用いているため、装置を安価に構成することができるが、ビームスポットが絞られるため車線の中央部に照準を合わせることになる。
【００７３】
本第３の実施の形態のように、ドップラーレーダを距離計として用いることにより、車線幅に合わせてレーダビーム幅を設定することができる。これにより、例えば単車などのように車幅の小さい車両に対しても違反走行を見逃すことが少なくなる。また、レーダビーム幅を複数の車線幅に設定することにより、一台のドップラーレーダで複数の車線を同時に監視することも可能であり、この場合には、検出車線幅に対応して、静止画像用カメラ１３の撮影領域も広くすることになるから、距離計１２及び静止画像用カメラ１３の必要数を低減することができる。
【００７４】
さらに、車両の位置に加えて、その速度、方向のデータも同時に取得できるから、これらのデータも、時刻や現示状態などとともに静止画像データに重畳することができる。また、交差点３内を走行する車両のみを記録することが可能になる。したがって、交通違反取り締まり用のデータを充実できる。
【００７５】
なお、車両検出手段としては、第１の実施の形態のレーザ距離計、第２の実施の形態のドップラーレーダの外、他の検出手段、例えば、車両感知器としてよく用いられている超音波式車両感知器やループ式車両感知器、を用いることもできる。
【００７６】
なお、本発明の交通信号無視車両自動記録装置の交差点３への設置と並行して、当該交差点の前方所定の距離の地点に、交通信号無視車両自動記録装置を設置していること、及び自動記録動作を行っていることを、告知する警告表示板を併せて設置することにより、信号無視走行を抑制し、事故発生を減少させることができる。
【００７７】
【発明の効果】
本発明の交通信号無視車両自動記録装置によれば、交差点（単路の横断歩道を含む）で信号無視をした違反車両を自動的に検出する。この違反車両を検出したときには、その車両の前面部を撮影し、その時点の時刻を含む交通情報（信号現示状態等）を重畳することにより、その車両自体、運転者の顔、ナンバープレートとともに時刻を含む交通情報が重畳表示された画像を得ることができる一方、その違反車両を検出した時点を含む前後所定時間内の道路交差点の交通流の画像を、時刻を含む交通情報が重畳された画像で、得ることができる。また、それらの画像そのものには、何らの加工も行われていない。したがって、証拠能力に優れていることはもちろんであるが、証拠価値（証拠力）も高い。
【００７８】
これにより、同一交通事象における、信号無視走行車両の交差点進入から流出までの違反走行通過状況を記録した動画像と、当該信号無視走行車両の車両自体、ナンバープレート及び運転手を撮影した静止画像とにより、信号無視走行車両を確実に取り締まることができる。また、交差点内での信号無視走行車両を検出したとき、この違反車両が事故を起こしたときの事故発生状況を画像として自動記録する機能を同時に備える。
【００７９】
また、全赤終了後の赤信号時に、停止線を越えて交差点内に進入した車両を違反車両として検出するから、違反車両のみをより確実に検出することができる。また、交差点の構造などによって必要とすれば、全赤終了後の赤信号からさらに所定時間のオフセットを持たせても良い。
【００８０】
また、カラーの動画像撮影記録手段を用いることで、道路交差点の交通流の画像にさらに信号灯器の表示状態も得られるから、違反車両の記録画像として好適である。
【００８１】
また、ストロボ光を照射することにより昼夜に関わらず鮮明な画像を撮影することができる。また、ストロボ光として近赤外線を用いることで、運転者に幻惑を与えることなく、撮影されたことを気づかせることができる。これにより、信号無視違反者に対する効果的な抑制と再発防止が期待できる。
【００８２】
また、車両検出手段にレーザ距離計を用いることにより、車両検出手段を安価に構成することができる。
【００８３】
また、車両検出手段にドップラーレーダを用い、そのビーム幅を調整することにより、監視すべき車線の幅いっぱいに照射することができるから、単車などの車幅の小さい車両をも漏れなく取り締まることができる。また、一台のドップラーレーダで複数の車線を同時に監視することも可能である。さらに、車両の位置に加えて、その速度、方向のデータも同時に取得できるし、交差点３内を走行する車両のみを記録することが可能になる。
【００８４】
また、管理センターに、それぞれ時刻を含む交通情報が重畳された静止画像及び動画像が１つの交通事象の記録画像として伝送され、記録されるから、それを証拠資料として、後日呼び出すなどして当該違反者を取り締まることができる。
【００８５】
また、当該交差点近傍の監視装置に、それぞれ時刻を含む交通情報が重畳された静止画像及び動画像が１つの交通事象の記録画像として伝送され、記録されるから、それを証拠資料として、違反者を現場で逮捕することができる。
【００８６】
本発明の交通信号無視車両自動記録方法によれば、交差点で信号無視をした違反車両を自動的に検出し、その車両の前面部が撮影された画像にその時点の時刻を含む交通情報（信号現示状態等）を重畳することにより、その車両自体、運転者の顔、ナンバープレートとともに時刻を含む交通情報が重畳表示された画像を得ることができる一方、その違反車両を検出した時点を含む前後所定時間内の道路交差点の交通流の画像を、時刻を含む交通情報が重畳された画像で、得ることができる。これにより、同一交通事象における、信号無視走行車両の交差点進入から流出までの違反走行通過状況を記録した動画像と、当該信号無視走行車両の車両自体、ナンバープレート及び運転手を撮影した静止画像とにより、信号無視走行車両を確実に取り締まることができる。また、全赤終了後の赤信号時に、停止線を越えて交差点内に進入した車両を違反車両として検出するようにすれば、赤信号時に故意（重大な過失を含む）に停止線を越えた違反車両のみをより確実に検出することができる。また、静止画像や動画像への時刻や履歴などのデータの重畳処理が容易になる。
【図面の簡単な説明】
【図１】第１の実施の形態に係る交通信号無視車両自動記録装置のブロック構成図。
【図２】交通信号無視車両自動記録装置を交差点に配置したシステム構成図。
【図３】動画像記録画面の例を示す図。
【図４】標準的な十字路交差点における信号灯器の配置例を示す図。
【図５】信号の表示タイミングを示す現示状態図。
【図６】第１の実施の形態に係る交通信号無視車両自動記録装置の動作フローチャート。
【図７】図６のフローチャートにおける記録動作タイミング図。
【符号の説明】
１  主道路
２  従道路
３  交差点
４  停止線
５  信号柱
６  違反車両
１０  信号灯器
１１  動画像用カメラ
１２  レーザ距離計
１３  静止画像用カメラ
２０  検出・記録部
２１  動画像監視記録部
２２  車両検出部
２３  信号状態検出部
２４  判定部
２５  時計部／現示部
２６  静止画像記録部
２７  違反車両通過記録部／履歴記録部
２８  伝送部
ＭＡ  動画像撮影範囲
ＳＡ  静止画像撮影範囲
ＬＢ  レーザビーム
【図１】
0003711518.tif 000002
【図２】
0003711518.tif 000003
【図３】
0003711518.tif 000004
【図４】
0003711518.tif 000005
【図５】
0003711518.tif 000006
【図６】
0003711518.tif 000007
【図７】
0003711518.tif 000008